(57)【要約】【課題】入力端子がどの外部機器を入力ソースとして入力している端子であるのかを、ユーザ識別可能に表示させることが可能な表示装置を提供する。【解決手段】表示装置（テレビ装置１で例示）は、外部機器から映像パケットの入力時にその外部機器の機種情報パケットを入力する入力端子を備える。テレビ装置１は、入力端子を介して外部機器（プレーヤ１（３）、プレーヤ２（４）、レコーダ５等）からの映像パケット及び機種情報パケットが入力されたときに、その機種情報パケットから機種情報を取得する機種情報取得手段と、ユーザに提示するための入力端子を表す端子表示名を、機種情報取得手段で取得した機種情報に基づき外部機器表示名に変更する表示名変更手段とを備える。【選択図】図２
2008035189.tif 000002
【特許請求の範囲】
【請求項１】
外部機器から映像パケットの入力時に該外部機器の機種情報パケットを入力する入力端子を備えた表示装置であって、前記入力端子を介して前記外部機器からの映像パケット及び機種情報パケットが入力されたときに、該機種情報パケットから機種情報を取得する機種情報取得手段と、ユーザに提示するための前記入力端子を表す端子表示名を、前記機種情報取得手段で取得した機種情報に基づき外部機器表示名に変更する表示名変更手段とを備えたことを特徴とする表示装置。
【請求項２】
前記機種情報取得手段で取得した機種情報を所定条件に合致するか否か照合する機種情報照合手段を備え、前記表示名変更手段は、前記機種情報照合手段で所定条件と合致した場合、ユーザに提示するための前記入力端子を表す端子表示名を、前記所定条件に対応した外部機器表示名に変更することを特徴とする請求項１に記載の表示装置。
【請求項３】
前記機種情報照合手段は、前記所定条件と前記外部機器表示名とを複数組み関連付けて格納した機種情報変換テーブルを有し、該機種情報変換テーブルを参照して合致する所定条件が存在するか否かを検索し、前記表示名変更手段は、前記検索の結果、合致する所定条件に前記機種情報変換テーブルで関連付けられた外部機器表示名へ変更を行うことを特徴とする請求項２に記載の表示装置。
【請求項４】
前記表示名変更手段で変更した端子表示名を、前記入力端子と関連付けて記憶する表示名記憶手段を備え、前記入力端子から前記外部機器が取り外されるか或いは該外部機器の電源がオフされた場合でも、前記外部機器に対して前記表示名記憶手段で記憶された端子表示名を保持することを特徴とする請求項１乃至３のいずれか１項に記載の表示装置。
【請求項５】
前記機種情報取得手段は、前記入力端子から前記外部機器が取り外されるか或いは該外部機器の電源がオフされた後、機種情報の取得を実行することを特徴とする請求項４に記載の表示装置。
【請求項６】
前記表示名変更手段は、前記機種情報取得手段で前記機種情報パケットが入力されなかった場合、前記端子表示名をデフォルト名にすることを特徴とする請求項１乃至５のいずれか１項に記載の表示装置。
【請求項７】
前記表示名変更手段は、前記機種情報照合手段で所定条件と合致しなかった場合、前記端子表示名をデフォルト名にすることを特徴とする請求項２又は３に記載の表示装置。
【請求項８】
設定メニュー画面を表示して当該表示装置に対するユーザ設定を受け付けるユーザ設定手段を備え、前記表示名変更手段における変更対象の端子表示名は、前記設定メニュー画面に表示される端子表示名を含むことを特徴とする請求項１乃至７のいずれか１項に記載の表示装置。
【請求項９】
当該表示装置における現在の入力ソースの端子表示名を画面上に表示する入力ソース表示手段を備え、前記表示名変更手段における変更対象の端子表示名は、前記現在の入力ソースの端子表示名を含むことを特徴とする請求項１乃至８のいずれか１項に記載の表示装置。
【請求項１０】
当該表示装置における現在の入力ソースの端子表示名を画面上に表示する入力ソース表示手段を備え、前記表示名変更手段における変更対象の端子表示名は、前記現在の入力ソースの端子表示名を含み、前記入力ソース表示手段は、前記現在の入力ソースのデフォルト表示名と共に前記表示名変更手段で変更された端子表示名を表示することを特徴とする請求項１乃至８のいずれか１項に記載の表示装置。
【請求項１１】
当該表示装置における入力ソースの切換メニューを画面上に表示する切換メニュー表示手段を備え、前記表示名変更手段における変更対象の端子表示名は、前記切換メニューに含まれる入力ソースの端子表示名を含むことを特徴とする請求項１乃至１０のいずれか１項に記載の表示装置。
【請求項１２】
前記切換メニュー表示手段は、前記切換メニュー上における端子表示名の表示を、前記機種情報取得手段で取得した機種情報に基づき並べ換えて行うことを特徴とする請求項１１に記載の表示装置。
【請求項１３】
前記切換メニュー表示手段は、前記切換メニューを当該表示装置に配設された入力端子群の位置と相対的に近い画面上の位置に表示することを特徴とする請求項１１又は１２に記載の表示装置。
【請求項１４】
前記表示名変更手段における端子表示名の変更を実行しないか否かのユーザ設定を受け付ける変更設定手段を備えたことを特徴とする請求項１乃至１３のいずれか１項に記載の表示装置。
【請求項１５】
前記変更設定手段は、複数の変更方法の中から採用する変更方法をユーザ選択させる手段を有することを特徴とする請求項１４に記載の表示装置。
【請求項１６】
前記表示名変更手段で変更に使用する外部機器表示名を変更するユーザ設定を受け付ける変更表示名設定手段を備えたことを特徴とする請求項１乃至１５のいずれか１項に記載の表示装置。
【請求項１７】
前記表示名変更手段は、複数の入力端子に対して同じ外部機器表示名へ変更がなされるとき、連番を付した外部機器表示名へさらに変更を行うことを特徴とする請求項１乃至１６のいずれか１項に記載の表示装置。
【請求項１８】
前記機種情報取得手段は、一つの入力端子に接続された外部機器の下層にさらに複数の外部機器が接続されている場合にも、前記表示名変更手段における端子表示名の変更を実行するために、前記複数の外部機器から機種情報の取得を行うことを特徴とする請求項１乃至１７のいずれか１項に記載の表示装置。
【請求項１９】
前記機種情報は、メーカ名、機種名、及びカテゴリを含む情報であることを特徴とする請求項１乃至１８のいずれか１項に記載の表示装置。
【請求項２０】
前記機種情報パケットは、ＣＥＡ−８６１規格で規定されているＳＰＤパケットであることを特徴とする請求項１乃至１９のいずれか１項に記載の表示装置。
【請求項２１】
前記入力端子は、ＨＤＭＩ規格に準じた入力端子であることを特徴とする請求項１乃至２０のいずれか１項に記載の表示装置。
【請求項２２】
外部機器から映像パケットの入力時に該外部機器の機種情報パケットを入力する入力端子を備えた表示装置における表示方法であって、機種情報取得手段が、前記入力端子を介して前記外部機器からの映像パケット及び機種情報パケットが入力されたときに、該機種情報パケットから機種情報を取得するステップと、表示名変更手段が、ユーザに提示するための前記入力端子を表す端子表示名を、前記取得した機種情報に基づき外部機器表示名に変更するステップとを含むことを特徴とする表示方法。
【請求項２３】
機種情報照合手段が、前記取得した機種情報を所定条件に合致するか否か照合するステップをさらに含み、前記変更するステップは、前記照合するステップで所定条件と合致した場合、ユーザに提示するための前記入力端子を表す端子表示名を、前記所定条件に対応した外部機器表示名に変更するステップであることを特徴とする請求項２２に記載の表示方法。
【請求項２４】
請求項１乃至２１のいずれか１項に記載の表示装置の制御コンピュータに組み込むためのプログラムであって、当該プログラムは、制御コンピュータを各手段として機能させることを特徴とするプログラム。
【発明の詳細な説明】
【技術分野】
【０００１】
本発明は、表示装置、方法、及びプログラムに関し、より詳細には、ＨＤＭＩ（High Definition Multimedia Interface）等のデジタルインタフェースにより他のＡＶ（Audio Visual）機器と接続可能な、テレビ装置、表示モニタ等の表示装置、その表示方法、及びその表示装置に組み込むためのプログラムに関する。
【背景技術】
【０００２】
映像・音声の伝送技術としては、ＩＥＥＥ（Institute of Electrical and Electronics Engineers）１３９４規格によるＭＰＥＧ圧縮データを用いた映像・音声伝送方式、コンポーネント端子、Ｄ映像端子を用いたＹ（輝度信号）／Ｐｂ（青色色差信号）／Ｐｒ（赤色色差信号）のコンポーネント映像伝送方式、ＩＥＣ（International Electrotechnical Commission）６０９５８規格、ＩＥＣ６１９３７規格によるデジタルオーディオフォーマットでの光デジタル音声伝送方式等が存在する。
【０００３】
また、コンピュータ本体とディスプレイとの間で、デジタル化された映像信号を高速に伝送するためのインタフェースとして、ＤＶＩ（Digital Visual Interface）規格が知られている。
【０００４】
ＨＤＭＩ規格は、このＤＶＩ規格をさらに発展させたデジタル接続規格であり、ＴＶ放送デジタル化、表示デバイスの平面パネルへの切り替えといった変化に対応して、家庭内においてＳＴＢ（Set Top Box）等の出力機器とディスプレイ間をデジタル接続することを目的としている。
【０００５】
このＨＤＭＩにおいては、オーディオ信号及びコントロール信号を伝送する機能が追加され、ＴＶ用途の要求を満足するようになっている。従来の機器間の接続には、ビデオ、オーディオ、コントロールの各信号用に複数のケーブルを用いていたが、ＨＤＭＩ規格ではＨＤＭＩケーブル１本で済み、コントロール信号は双方向の伝送に対応しているため、例えばモニタからＨＤＭＩで接続されたＳＴＢやＤＶＤプレーヤ等の出力機器にコントロール信号を中継することによって、一つのリモコンでＡＶシステム（ホームシアタなど）全体を操作することも可能となる。
【０００６】
このようなＨＤＭＩに関する先行技術として、例えば、特許文献１には、ＨＤＭＩ規格を含むマスター，スレーブ型のネットワークを形成し、ＤＤＣ(Display Data Channel)バス（一方向）とＣＥＣ（Consumer Electronics Control）バス（双方向）との接続におけるルーティング決定方法と構成が開示されている。また、特許文献２には、ＨＤＭＩによる接続を使用して機器情報を取得し、各機器のフォーマット（映像・音声）変換を自動で行い、ユーザ設定作業を軽減する技術が開示されている。さらに、特許文献３には、ＨＤＭＩ対応のデータ送信機器とＨＤＭＩ対応のデータ受信機器間で仕様が異なる場合に自動でマッチングする技術が開示されている。
【０００７】
また、ＤＶＩ規格を発展させた規格として、ＨＤＭＩ規格の他に、ＤｉｓｐｌａｙＰｏｒｔ規格やＵＤＩ（Unified Display Interface）規格がある。ＵＤＩ規格は音声信号に対応していない点がＨＤＭＩ規格と異なり、ＤｉｓｐｌａｙＰｏｒｔ規格及びＵＤＩ規格は機器間だけでなく機器内での接続も想定している点がＨＤＭＩ規格と異なる。
【特許文献１】特表２００５−５２８８５３号公報
【特許文献２】特開２００５−５１５４７号公報
【特許文献３】特開２００６−１２９２５６号公報
【発明の開示】
【発明が解決しようとする課題】
【０００８】
しかしながら、近年、一つの機器に具備された入力端子の数が多くなってきており、ユーザにとって、自分が接続して構築したシステムであってもシステムの外観からはどの入力端子にどの外部機器を接続しているかが分かり難い。従って、テレビ装置等の表示装置の画面で入力切換操作画面（入力切換メニュー画面）やチャンネルコールの表示を行う場合にも、ユーザにとって、どの入力ソースに切り換えればよいのか、どの外部機器からの映像が表示されているのか、といったことが分かり難い。
【０００９】
実際、図３（Ａ）のチャンネルコール画像３０で例示すると、表示装置の第４の入力端子（ここではＨＤＭＩ入力端子）に接続した外部機器を入力ソースとして映像表示を行う場合にも、現行の表示装置では、チャンネルコールに対して入力表示ラベル３１として「入力４」といったＯＳＤ（On Screen Display）表示がなされるだけであり、どのような機器が繋がっているのか分からない。ここで、入力表示ラベルとは、入力端子１に接続された外部機器対しては「入力１」、入力端子２に接続された外部機器に対しては「入力２」といった具合に、入力端子を表す端子表示名である。
【００１０】
そのため、入力切換メニュー画面やチャンネルコールとして表示する入力表示ラベルをユーザ設定により任意に変更できるような機能を、表示装置に実装してもよい。しかしながら、この機能を搭載した場合、入力表示ラベルとしてかなり一般的な名称（例えば「テレビ」、「レコーダ」、「プレーヤ」等）しか現実的に設定できない。従って、同じカテゴリの外部機器を複数台持ち、それらを表示装置に接続した場合には、ユーザはそれらの外部機器間（実際には入力端子間）で入力表示ラベルを変える必要もある。
【００１１】
さらに、このようなユーザ設定では、各入力端子に入力表示ラベルが割り当てられているため、外部機器の抜き差しや電源のオン／オフを行った場合、他の外部機器の存在もあって、対応できない。すなわち、ＨＤＭＩ入力端子付きの送信機器が増えてくるなか、入力端子を１つしか持たないテレビ装置などでは、ユーザがケーブルを繋ぎ変える必要があり、喩え入力表示選択で表示名を変更していても、繋ぎ変えた機器がそれに合うものかどうかも分からない。例えば、レコーダを或る入力端子に接続し、その入力端子に「レコーダ」という入力表示ラベルをユーザ設定した場合、その入力端子からそのレコーダを抜いてゲーム機を差し込んだ場合、ゲーム機が接続されているにも拘わらず「レコーダ」表示のままとなるか、或いはその入力端子の入力表示ラベルを「ゲーム機」にユーザ設定し直さなければならない。
【００１２】
本発明は、上述のごとき実情に鑑みてなされたものであり、入力端子がどの外部機器を入力ソースとして入力している端子であるのかを、ユーザ識別可能に表示させることが可能な表示装置、その表示方法、及びその表示装置に組み込むためのプログラム、を提供することをその目的とする。
【課題を解決するための手段】
【００１３】
上記課題を解決するために、本発明の第１の技術手段は、外部機器から映像パケットの入力時に該外部機器の機種情報パケットを入力する入力端子を備えた表示装置であって、前記入力端子を介して前記外部機器からの映像パケット及び機種情報パケットが入力されたときに、該機種情報パケットから機種情報を取得する機種情報取得手段と、ユーザに提示するための前記入力端子を表す端子表示名を、前記機種情報取得手段で取得した機種情報に基づき外部機器表示名に変更する表示名変更手段とを備えたことを特徴としたものである。
【００１４】
第２の技術手段は、第１の技術手段において、前記機種情報取得手段で取得した機種情報を所定条件に合致するか否か照合する機種情報照合手段を備え、前記表示名変更手段は、前記機種情報照合手段で所定条件と合致した場合、ユーザに提示するための前記入力端子を表す端子表示名を、前記所定条件に対応した外部機器表示名に変更することを特徴としたものである。
【００１５】
第３の技術手段は、第２の技術手段において、前記機種情報照合手段は、前記所定条件と前記外部機器表示名とを複数組み関連付けて格納した機種情報変換テーブルを有し、該機種情報変換テーブルを参照して合致する所定条件が存在するか否かを検索し、前記表示名変更手段は、前記検索の結果、合致する所定条件に前記機種情報変換テーブルで関連付けられた外部機器表示名へ変更を行うことを特徴としたものである。
【００１６】
第４の技術手段は、第１乃至第３のいずれかの技術手段において、前記表示名変更手段で変更した端子表示名を、前記入力端子と関連付けて記憶する表示名記憶手段を備え、前記入力端子から前記外部機器が取り外されるか或いは該外部機器の電源がオフされた場合でも、前記外部機器に対して前記表示名記憶手段で記憶された端子表示名を保持することを特徴としたものである。
【００１７】
第５の技術手段は、第４の技術手段において、前記機種情報取得手段は、前記入力端子から前記外部機器が取り外されるか或いは該外部機器の電源がオフされた後、機種情報の取得を実行することを特徴としたものである。
【００１８】
第６の技術手段は、第１乃至第５のいずれかの技術手段において、前記表示名変更手段は、前記機種情報取得手段で前記機種情報パケットが入力されなかった場合、前記端子表示名をデフォルト名にすることを特徴としたものである。
【００１９】
第７の技術手段は、第２又は第３の技術手段において、前記表示名変更手段は、前記機種情報照合手段で所定条件と合致しなかった場合、前記端子表示名をデフォルト名にすることを特徴としたものである。
【００２０】
第８の技術手段は、第１乃至第７のいずれかの技術手段において、設定メニュー画面を表示して当該表示装置に対するユーザ設定を受け付けるユーザ設定手段を備え、前記表示名変更手段における変更対象の端子表示名は、前記設定メニュー画面に表示される端子表示名を含むことを特徴としたものである。
【００２１】
第９の技術手段は、第１乃至第８のいずれかの技術手段において、当該表示装置における現在の入力ソースの端子表示名を画面上に表示する入力ソース表示手段を備え、前記表示名変更手段における変更対象の端子表示名は、前記現在の入力ソースの端子表示名を含むことを特徴としたものである。
【００２２】
第１０の技術手段は、第１乃至第８のいずれかの技術手段において、当該表示装置における現在の入力ソースの端子表示名を画面上に表示する入力ソース表示手段を備え、前記表示名変更手段における変更対象の端子表示名は、前記現在の入力ソースの端子表示名を含み、前記入力ソース表示手段は、前記現在の入力ソースのデフォルト表示名と共に前記表示名変更手段で変更された端子表示名を表示することを特徴としたものである。
【００２３】
第１１の技術手段は、第１乃至第１０のいずれかの技術手段において、当該表示装置における入力ソースの切換メニューを画面上に表示する切換メニュー表示手段を備え、前記表示名変更手段における変更対象の端子表示名は、前記切換メニューに含まれる入力ソースの端子表示名を含むことを特徴としたものである。
【００２４】
第１２の技術手段は、第１１の技術手段において、前記切換メニュー表示手段は、前記切換メニュー上における端子表示名の表示を、前記機種情報取得手段で取得した機種情報に基づき並べ換えて行うことを特徴としたものである。
【００２５】
第１３の技術手段は、第１１又は第１２の技術手段において、前記切換メニュー表示手段は、前記切換メニューを当該表示装置に配設された入力端子群の位置と相対的に近い画面上の位置に表示することを特徴としたものである。
【００２６】
第１４の技術手段は、第１乃至第１３のいずれかの技術手段において、前記表示名変更手段における端子表示名の変更を実行しないか否かのユーザ設定を受け付ける変更設定手段を備えたことを特徴としたものである。
【００２７】
第１５の技術手段は、第１４の技術手段において、前記変更設定手段は、複数の変更方法の中から採用する変更方法をユーザ選択させる手段を有することを特徴としたものである。
【００２８】
第１６の技術手段は、第１乃至第１５のいずれかの技術手段において、前記表示名変更手段で変更に使用する外部機器表示名を変更するユーザ設定を受け付ける変更表示名設定手段を備えたことを特徴としたものである。
【００２９】
第１７の技術手段は、第１乃至第１６のいずれかの技術手段において、前記表示名変更手段は、複数の入力端子に対して同じ外部機器表示名へ変更がなされるとき、連番を付した外部機器表示名へさらに変更を行うことを特徴としたものである。
【００３０】
第１８の技術手段は、第１乃至第１７のいずれかの技術手段において、前記機種情報取得手段は、一つの入力端子に接続された外部機器の下層にさらに複数の外部機器が接続されている場合にも、前記表示名変更手段における端子表示名の変更を実行するために、前記複数の外部機器から機種情報の取得を行うことを特徴としたものである。
【００３１】
第１９の技術手段は、第１乃至第１８のいずれかの技術手段において、前記機種情報は、メーカ名、機種名、及びカテゴリを含む情報であることを特徴としたものである。
【００３２】
第２０の技術手段は、第１乃至第１９のいずれかの技術手段において、前記機種情報パケットは、ＣＥＡ−８６１規格で規定されているＳＰＤパケットであることを特徴としたものである。
【００３３】
第２１の技術手段は、第１乃至第２０のいずれかの技術手段において、前記入力端子は、ＨＤＭＩ規格に準じた入力端子であることを特徴としたものである。
【００３４】
第２２の技術手段は、外部機器から映像パケットの入力時に該外部機器の機種情報パケットを入力する入力端子を備えた表示装置における表示方法であって、機種情報取得手段が、前記入力端子を介して前記外部機器からの映像パケット及び機種情報パケットが入力されたときに、該機種情報パケットから機種情報を取得するステップと、表示名変更手段が、ユーザに提示するための前記入力端子を表す端子表示名を、前記取得した機種情報に基づき外部機器表示名に変更するステップとを含むことを特徴としたものである。
【００３５】
第２３の技術手段は、第２２の技術手段において、機種情報照合手段が、前記取得した機種情報を所定条件に合致するか否か照合するステップをさらに含み、前記変更するステップは、前記照合するステップで所定条件と合致した場合、ユーザに提示するための前記入力端子を表す端子表示名を、前記所定条件に対応した外部機器表示名に変更するステップであることを特徴としたものである。
【００３６】
第２４の技術手段は、第１乃至第２１のいずれかの技術手段における表示装置の制御コンピュータに組み込むためのプログラムであって、当該プログラムは、制御コンピュータを各手段として機能させることを特徴としたものである。
【発明の効果】
【００３７】
本発明によれば、表示装置において、入力端子がどの外部機器を入力ソースとして入力している端子であるのかを、ユーザ識別可能に表示させることが可能となる。
【発明を実施するための最良の形態】
【００３８】
本発明に係る表示装置は、映像信号を入力する入力端子を１又は複数もつ装置であり、以下、テレビ装置に適用した例のみを示すが、ＰＣ用の表示モニタなど他種の表示装置であっても適用できる。また、本発明に係る表示装置に具備される入力端子は、外部機器から映像パケット（又は映像パケット及び音声パケット）が入力できる端子であり、映像パケットの入力時にその外部機器の機種情報パケットも入力できる端子である。
【００３９】
そして、本発明に係る表示装置では、機種情報取得から表示名変更（及び端子表示名の表示）に至るまでの端子表示名変更処理を実行するものである。この端子表示名変更処理は、接続機器名称自動表示処理とも言え、好ましい形態では外部機器の接続／非接続の状態に応じて自動的に端子表示名を変更することも可能にする。
【００４０】
上述のごとき入力端子として、ＨＤＭＩ入力端子を例に挙げて以下では説明を行うが、ＵＤＩ入力端子など他の入力端子に対しても適用可能であり、またＨＤＭＩ入力端子数も例示するものに限ったものではない。また、本明細書でいうＨＤＭＩ入力端子とは、ＨＤＭＩ規格に基づいて映像パケット（音声パケット）を含むデータストリームが入力する側のＨＤＭＩ端子を指すものとする。ＨＤＭＩの場合にＣＥＣコマンドやＥＤＩＤ（Extended Display Identification Data）は双方向に伝送が可能であり、上記ＨＤＭＩ入力端子から相手機器に対してデータの伝送が行われることもある。
【００４１】
さらに、機種情報パケットとして、ＨＤＭＩ規格でもオプション項目となっている、ＣＥＡ（Consumer Electronics Association）−８６１規格で規定のＳＰＤ（Source Product Description）パケットを使う例を挙げて説明するが、他の方式のパケットであっても適用できる。また、ＳＰＤパケットでは、機種情報として、メーカ名、機種名、及びカテゴリの情報があり、以下の説明ではこれらの情報があることを前提としている。本発明では、機種情報としてこれらの情報を少なくとも含むことが好ましいが、それに限ったものではない。
【００４２】
図１は、本発明の表示装置の一実施形態例を説明するためのブロック図で、本発明の表示装置をテレビ装置に適用した例を示すものである。図１で例示するテレビ装置１は、システム全体の制御を行うシステム制御部２２と、システム制御部２２からのバスの使用要求を受けてバスの使用許可を与えるバス調停部２１とを備えている。
【００４３】
システム制御部２２は、ＣＰＵ（Central Processing Unit）２２ａ、ＲＯＭ（Read Only Memory）２２ｂ、及びＲＡＭ（Random Access Memory）２２ｃ等で構成されるマイコン、並びに、ＥＥＰＲＯＭ（Electrically Erasable and Programmable ROM）２２ｄ等の記憶装置などで構成される。ＲＯＭ２２ｂには、システム全体の制御を行うための制御プログラムが格納されており、この制御プログラムは、少なくとも起動時にＣＰＵ２２ａによって、ＲＯＭ２２ｂから作業領域であるＲＡＭ２２ｃに読み出され、実行される。実行中に生じる各種データもＲＡＭ２２ｃに一時的に格納される。なお、システム制御部２２をはじめ各部はここで説明する構成例に限ったものではない。
【００４４】
本発明に係る端子表示名変更処理は、その詳細は後述するが、その処理を実行する端子表示名変更プログラムとしてこの制御プログラムに含み、ＲＯＭ２２ｂに格納しておくことで実現できる。一方、ＥＥＰＲＯＭ２２ｄには、制御プログラムで使用する各種パラメータ（ＲＯＭ２２ｂに格納してもよい）や、表示装置１のユーザ設定データ等が格納され、必要に応じてＣＰＵ２２ａやシステム制御部２２外部の部位によって読み出される。ＥＥＰＲＯＭ２２ｄには、ユーザ設定データの一部として或いはそれとは独立したデータとして、端子表示名変更プログラムで参照する変換テーブル（後述する）も格納しておくとよい。
【００４５】
バス調停部２１は、一時に一つのバスの使用要求があったときは直ちに使用許可を与え、一時に複数の使用要求があったときは、すなわちバスの使用要求が競合したときは、予めシステム制御部２２等に定められている優先度に従ってバスの使用許可を与える。
【００４６】
また、テレビ装置１は、受信したデジタル放送信号を選局して復調するＴＶチューナ１８と、復調した放送信号からＥＰＧデータの抽出や復調されたデータの分離を行うデマルチプレクサ１７と、分離されたデジタル放送のビデオデータをデコードするビデオデコーダ１６とを備えている。
【００４７】
画像処理部２０では、ノイズリダクション、スケーリングやＩＰ変換等の映像信号変換処理や、画質強調補正処理やγ補正処理等の画質調整処理を、適宜必要に応じて実施する。また、映像信号変換処理において、各種の３次元画像処理を行うためにフレームメモリ１９が使用される。また、画像処理部２０には、これらの映像信号変換処理後の映像に重畳するためのＯＳＤ画像を生成するＯＳＤ処理部２０ａが設けられている。ＯＳＤ処理部２０ａでは映像信号変換処理の処理途中又は処理前の映像信号にＯＳＤ画像を重畳できるように出力してもよい。
【００４８】
デバイス駆動部２４は、液晶パネル等の表示デバイス２３を駆動制御して、画像処理部から出力された映像信号を表示デバイス２３に表示させる。また、テレビ装置１には、ユーザが操作するリモートコントローラ（以下、リモコン）からの赤外線信号を受信する赤外線受光部２５が設けられる。赤外線受光部２５で受信したリモコンによる操作信号に基づき、システム制御部２２は各部に対して処理命令を発する。
【００４９】
テレビ装置１には、映像信号や音声信号の入力Ｉ／Ｆとして、複数の外部入力Ｉ／Ｆ（外部入力１〜外部入力３）１１，１２，１３と、ＨＤＭＩ機器からの入力Ｉ／Ｆ（ＨＤＭＩ入力１、ＨＤＭＩ入力２）１４，１５とが設けられる。ＨＤＭＩ用のＩ／Ｆ１４，１５には、ＨＤＭＩレシーバやＣＥＣ  Ｉ／Ｆなどが備えられる。なお、ＨＤＭＩレシーバやＣＥＣ  Ｉ／Ｆは、システム制御部２２内部のＣＰＵ２２ａで制御されるが、システム制御部２２に内蔵するなどしてもよい。
【００５０】
ＨＤＭＩ用Ｉ／Ｆ１４，１５には、ＨＤＭＩケーブルが接続され、外部機器との接続を可能にする。ＨＤＭＩケーブルは、デジタル信号である映像・音声信号を差動方式で伝送するためのＴＭＤＳ（Transition Minimized Differential Signaling）ライン（デジタル信号転送ライン）と、機器間で共通の制御信号（ＣＥＣコマンド）を伝送する双方向バスであるＣＥＣラインとを含んでいる。また、この他、ＨＤＭＩケーブルには、ＥＤＩＤの送信やＨＤＣＰ認証等に利用されるＤＤＣラインが含まれる。
【００５１】
外部機器側のＨＤＭＩ用Ｉ／Ｆに具備されるＨＤＭＩトランスミッタは、例えばＤＶＤなどのメディアに記録されている映像データと音声データとを読み出し、音声信号及び機種情報が映像信号のブランキング期間に挿入されたＨＤＭＩ形式のストリームに変換する。なお、機種情報は外部機器の仕様や設定によっては挿入されない。ビデオ／音声（及び機種情報）を含むストリームは、映像パケット／音声パケット（及びＳＰＤパケット）としてＴＭＤＳライン用いてテレビ装置１に伝送される。なお、ＴＭＤＳラインは、シリアル伝送路であり、例えば、赤（Ｒ），緑（Ｇ），青（Ｂ）のチャンネル毎の３つのデータ伝送路と、１つのクロック伝送路とが設けられている。
【００５２】
図２は、図１のテレビ装置を含む表示システムの構成例を示す概略図である。図２の構成例では、シンク機器である表示装置（テレビ装置１）のＨＤＭＩ入力端子２（Ｉ／Ｆ１５）に対してリピータ機器であるＡＶアンプ２が、テレビ装置１のＨＤＭＩ入力端子１（Ｉ／Ｆ１４）に対してレコーダ５が、それぞれ接続されている。また、ＡＶアンプ２のＨＤＭＩ入力端子には、ソース機器である複数の出力装置が接続される。本構成例では、出力装置として２台のＤＶＤプレーヤ３，４が接続されているものとする。各機器は、ＨＤＭＩ入力端子に取り付けたＨＤＭＩケーブルによって接続されている。また、出力装置としては、例えばＨＤＭＩ出力端子を持つＤＶＤレコーダやＨＤＤレコーダ、Ｄ−ＶＨＳレコーダ、デジタルビデオカメラ、チューナ機器、ＳＴＢ（デジタルＳＴＢ）など、様々な機器が該当する。また、ＨＤＭＩ入力端子１，２（Ｉ／Ｆ１４，１５）は、テレビ装置１をシンク機器として用いる場合は入力端子として機能するが、リピータ機器又はソース機器として用いる場合はＨＤＭＩ出力端子として機能する。
【００５３】
このように図２の構成例では、テレビ装置１のＨＤＭＩ入力端子には、レコーダ５及びＡＶアンプ２が直接に接続され、２台のＤＶＤプレーヤ３，４がＡＶアンプ２を介して間接に接続されている。そして、これらの機器２〜５はテレビ装置１に対して階層構造を形成しており、レコーダ５及びＡＶアンプ２を第１階層、ＤＶＤプレーヤ３，４を第２階層とする。
【００５４】
以下、上述のごとき構成の表示システムや代替構成したシステムにおいて実行される、本発明の端子表示名変更処理について説明する。本発明に係るテレビ装置１は、端子表示名変更処理を実行するために、少なくとも次の機種情報取得手段及び表示名変更手段を備える。これらの手段（並びに他の実施形態で後述する各手段）は、上述したように端子表示名変更プログラムとしてシステム制御部２２内に実行可能に組み込むとよい。
【００５５】
機種情報取得手段は、入力端子を介して外部機器（プレーヤ１（３）、プレーヤ２（４）、レコーダ５等）からの映像パケット及び機種情報パケットが入力されたときに、その機種情報パケットから機種情報を取得する。機種情報取得手段は、テレビ装置１において例えば上述したＳＰＤパケットを受信可能としておきそのＳＰＤパケットから機種情報を読み取ることが可能であればよく、従って図１で例示したテレビ装置１には組み込まれている。
【００５６】
表示名変更手段は、ユーザに提示するための入力端子を表す端子表示名を、機種情報取得手段で取得した機種情報に基づき外部機器表示名に変更する。ここで、端子表示名とは、上述したように、入力端子に接続された外部機器（入力端子への入力ソース）を表す表示名を指し、「入力４」等を指す。なお、図１の外部入力用Ｉ／Ｆ１１〜１３で例示したようなＳＰＤパケット受信不能な端子に対しては、本発明における端子表示名変更処理の対象とはならない。
【００５７】
図３は、テレビ装置の画面上に表示されるチャンネルコール画像の一例を示す図である。ここで、図３（Ａ）は従来のテレビ装置におけるチャンネルコール画像の一例を示しており、図３（Ｂ），（Ｃ）はそれぞれ、本発明が適用されたテレビ装置におけるチャンネルコール画像の一例を示している。また、図４は、本発明が適用されたテレビ装置の入力切換メニューの一例を示す図である。テレビ装置１のＨＤＭＩ入力端子１（Ｉ／Ｆ１４）の端子表示名（入力表示）は「入力４」であるものとする。そして、入力４に該当するＨＤＭＩ入力端子には、図２に示すような構成でレコーダ５が接続されているものとする。
【００５８】
端子表示名を表示する例としては、図３で例示するようなチャンネルコール画像の表示があり、図３を参照して従来技術との比較を行いながら、端子名変更処理について説明する。従来、図３（Ａ）で例示するように、チャンネルコール画像３０としては、「入力４」３１で例示のごとく入力端子名（端子表示名）のまま使用するか、或いはユーザが選択した名称（例えば「レコーダ」）を使用している。従って、接続される機器が変わっても、ユーザが変更しない限りそのままの名称が表示される。そして、ＨＤＭＩ入力端子が複数ある場合、ユーザがどの端子に接続したのかを確認するには、実際に入力切換を行い、入力され表示されている映像を確認する必要がある。
【００５９】
これに対し、本発明では表示名変更手段によって、受信した機種情報を活用して端子表示名（入力表示ラベル）を変更する。機種情報には、製造者（メーカ）名や機種名、カテゴリの情報があり、機種情報をどのように使用して変更するかのユーザ設定も可能としておけばよく、このユーザ設定については図８及び図９を参照して後述する。
【００６０】
表示名変更手段による変更例としては、例えば、ＨＤＭＩ用Ｉ／Ｆ１４からメーカ名が「ＳＨＡＲＰ」でありカテゴリが「Ｒｅｃｏｒｄｅｒ」であるレコーダ５からのＳＰＤパケットが送信されてきた場合、従来の「入力４」３１ではなく「ＳＨＡＲＰ  Ｒｅｃｏｒｄｅｒ」といった文字列の外部機器表示名に変更して、チャンネルコール画像に表示することもできる。なお、図３（Ｂ），（Ｃ）では、後述する機種情報照合手段を備えた実施形態での表示例を示しているが、「○○レコーダ」３４，３４ａの代わりに「ＳＨＡＲＰ  Ｒｅｃｏｒｄｅｒ」と表示できる。
【００６１】
他の例では、機種名が「ＤＶ−ＡＲＷ１５」の外部機器がＨＤＭＩ用Ｉ／Ｆ１４に接続されていた場合、「ＤＶ−ＡＲＷ１５」の文字列の外部機器表示名に変更し、表示することもできる。例えば、図３（Ｂ），（Ｃ）における「○○レコーダ」３４，３４ａの代わりに「ＤＶ−ＡＲＷ１５」と表示できる。また、表示エリアの制限から、一度に表示できる文字数が例えば１０文字であるとすると、ＳＰＤデータには最大１６文字設定可能であるので、１０文字を超える名称の場合には、フォントサイズを小さくしたり、表示エリアを増やしたり、１０字以降は切り捨てるなどで対応するとよい。
【００６２】
上述のごときチャンネルコール画像の表示を可能とするためには、テレビ装置１に、現在の入力ソースの端子表示名を画面上に表示する入力ソース表示手段を備えておき、前記表示名変更手段における変更対象の端子表示名は、現在の入力ソースの端子表示名を含むようにすればよい。
【００６３】
入力ソース表示手段は、システム制御部２２、ＯＳＤ処理部２０ａ、デバイス駆動部２４、及び表示デバイス２３などで構成できる。システム制御部２２において現在表示デバイス２３での出力を行っている入力ソースは当然把握可能であり、その端子表示名を表示デバイス２３で表示するようにＯＳＤ処理部２０ａに伝送して、映像に重畳させ、表示デバイス２３で表示すればよい。また、チャンネルコール画像の表示は、チャンネルを切り換える毎に表示されるので、チャンネルを切り換える毎に外部に接続され入力ソースとなっている機器名や状態が一目で分かる。
【００６４】
また、入力ソース表示手段は、現在の入力ソースのデフォルト表示名と共に表示名変更手段で変更された端子表示名を表示するようにしてもよい。例えば、図３（Ｂ），（Ｃ）で例示した「入力４」３１と「ＤＶ−ＡＲＷ１５」（「○○レコーダ」３４，３４ａの代替）、或いは「入力４  ＤＶ−ＡＲＷ１５」といった具合に、テレビのチャンネルコールと一体表示（或いは近傍の位置）で端子表示名（外部機器表示名）を表示すればよい。
【００６５】
また、本発明の他の実施形態として、次の機種情報照合手段を備えるようにしてもよい。機種情報照合手段は、機種情報取得手段で取得した機種情報を所定条件に合致するか否か照合（比較）する。そして、表示名変更手段は、機種情報照合手段で所定条件と合致した場合、ユーザに提示するための入力端子を表す端子表示名を、所定条件に対応した外部機器表示名に変更する。所定条件としては、機種情報の３つの情報それぞれに対して条件を与えておいてもよい。
【００６６】
例えば、ＳＰＤパケットから得たメーカ名がＳ社を表す英文でカテゴリが「ｒｅｃｏｒｄｅｒ」に相当するといった条件を満たすとき、表示名変更手段が端子表示名を「入力４」から商品名「○○レコーダ」へ変更し、入力ソース表示手段が図３（Ｂ）で例示するようなチャンネルコール画像３０を表示する。所定条件としては、例えば機種名の末尾や文頭や機種名中の文字列が「ＡＲ」であった場合に、「○○レコーダ」にするようにしてもよく、これにより将来の機種にもファームウエアやデータの更新することなく対応できる。
【００６７】
図３（Ｂ）のチャンネルコール画像３０には、「○○レコーダ」３４、入力端子の種類（ここではＨＤＭＩ）３２、及び各種情報（ここでは映像の方式及びお知らせ表示）が含まれる。図３（Ｃ）のチャンネルコール画像３０ａは、チャンネルコール画像３０を簡易表示（小さい表示）したものであり、外部機器表示名「○○レコーダ」３４ａが同じく表示されている。
【００６８】
入力端子の数が増えても、どこの端子にどのメーカのどの機器を接続したかが一目でわかり、例えばＳ社の「○○レコーダ」が接続された場合には、専用の文言にすることにより、この○○レコーダと表示装置１とが連携していることもアピールできる。
【００６９】
機種情報照合手段は、例えばシステム制御部２２内で構成すればよい。例えば、ＥＥＰＲＯＭ２２ｄに、所定条件と外部機器表示名とを複数組み関連付けて格納した機種情報変換テーブルを記憶させておき、ＲＯＭ２２ｂに記憶した機種情報照合プログラム（端子表示名変更プログラムに含む）が、その機種情報変換テーブルを参照して合致する所定条件が存在するか否かを検索するとよい。そして、表示名変更手段が、検索の結果、合致する所定条件に機種情報変換テーブルで関連付けられた外部機器表示名へ変更を行う。
【００７０】
実際、ＳＰＤパケットにはアスキーコードで機種情報が挿入されているので、そのままアスキーコードを使用して外部機器表示名を表してもよいが、所定条件に合致した場合、そのまま使用して表示するのではなく機種情報変換テーブルで検索した結果の外部機器表示名に変更する、すなわち機種情報変換テーブルで変換を施すとよい。これにより、所定条件に対応した外部機器表示名として、漢字やひらがなやカタカナの名称を表示させることもできる。
【００７１】
端子表示名を表示する例としては、図３のようなチャンネルコール画像に限ったものではなく、例えば、図４で例示するような入力切換メニュー（入力切換メニュー画像）４０の表示に適用できる。入力切換メニューの表示を可能とするため、テレビ装置１には、入力ソースの入力切換メニューを画面上に表示する切換メニュー表示手段を備えるとよい。そして、表示名変更手段における変更対象の端子表示名は、入力切換メニューに含まれる入力ソースの端子表示名を含むようにしておけばよい。また、図８及び図９を参照して例示する一般の設定メニュー画面の中に入力切換メニューを表示するようにしてもよい。
【００７２】
入力切換メニューは、テレビ装置１本体（実際にはＴＶチューナ）と、外部入力Ｉ／Ｆ（外部入力１〜外部入力３）１１，１２，１３と、ＨＤＭＩ機器からの入力Ｉ／Ｆ（ＨＤＭＩ入力１、ＨＤＭＩ入力２）１４，１５との間で、表示デバイス２３に表示させる入力ソースを切り換えるために用意されるものである。入力切換メニューを表示するためのデータは、システム制御部２２のＲＯＭ２２ｂ又はＥＥＰＲＯＭ２２ｄ、或いはＯＳＤ処理部２０ａ内部のメモリなどに保持され、ＯＳＤ処理部２０ａによって映像に重畳され、表示デバイス２３の画面に表示される。例えば、これらの構成要素により上述の切換メニュー表示手段を構成するとよい。
【００７３】
以下、入力切換メニューの表示について、テレビ装置１が機種情報照合手段を備えた形態のみに基づき説明するが、備えない形態であっても上述したように機種情報から変換を経ずに端子表示名を外部機器表示名に変更して表示すればよいだけである。また、入力切換メニューとして、ダイレクト選択に入力を切り換える方式を採用した例のみを示すが、トグル操作で選択した入力ソースのみを表示しながら切り換える方式を採用してもよい。
【００７４】
図４で例示する入力切換メニュー４０は、図２のごとき表示システムが構築されているときに表示される切換メニューであり、ここには外部入力用Ｉ／Ｆ１１〜１３の入力ソースの入力表示ラベル（端子表示名）である「入力１」〜「入力３」が表示されている。また、入力切換メニュー４０には、ＨＤＭＩ用Ｉ／Ｆ１４の入力ソースを表す「○○レコーダ」４１が表示されている。この端子表示名は、上述した機種情報照合手段及び表示名変更手段によってデフォルトの端子表示名である「入力４」から変更され、表示されたものである。
【００７５】
また、図４の入力切換メニュー４０において、他の入力ソースと表示を異ならせているが、これにより「○○レコーダ」４１が現在選択されている入力ソースであることを表現できる。その他、接続されている外部機器の電源オン／オフを判別し、その判別結果に応じてメニュー表示を変更するようにしてもよい。並びに現在非接続であるがＥＥＰＲＯＭ内に機種情報が記憶されている外部機器も電源オフと同様に表示すればよい。
【００７６】
また、切換メニュー４０には、ＨＤＭＩ用Ｉ／Ｆ１５の入力ソースを表す「○○プレーヤ」及び「△△プレーヤ」４２が表示されている。この２つの端子表示名４２は、上述した機種情報照合手段及び表示名変更手段によってデフォルトの端子表示名である「入力５」から変更され、残り一つは追記され、表示されたものである。若しくは、「入力５」を２つに分けることで、２つの端子表示名４２を表示するようにしてもよい。これにより、実際に備えられたＨＤＭＩ端子よりも多い入力端子が存在するかのような表示を行うことができる。
【００７７】
このように、ＡＶアンプ２のごときリピータ機器を介して一つの入力端子に２つの出力装置が接続されている場合にも、入力切換メニュー４０内に表示できるようにするとよい。このような２つの端子表示名４２を可能とするためには、機種情報取得手段は、一つの入力端子に接続された外部機器の下層にさらに複数の外部機器が接続されている場合にも、表示名変更手段における端子表示名の変更を実行するために、複数の外部機器から機種情報の取得を行うようにしておけばよい。実際、映像パケットと共にＳＰＤパケットが送信されてくるので、複数の外部機器からの取得は一度映像を入力さえしておけば可能である。
【００７８】
また、この入力切換メニュー４０において、リモコンの操作ボタンによって或る入力ソースが選択され、赤外線受光部２５でその操作信号を受信した場合、システム制御部２２は、ＣＥＣコマンドによって対象となる外部機器に対して入力切換指示を行う。レコーダ５である場合にはレコーダ５に対して指示を行えばよい。プレーヤ１又はプレーヤ２の場合には、ＡＶアンプ２に対して入力切換を指示し、ＡＶアンプ２がテレビ装置１から送られたＣＥＣコマンドに従って、ＡＶアンプ２のＨＤＭＩ入力端子を切り換えて、ユーザに指定されたＨＤＭＩ入力端子からストリームを入力可能な状態に設定する。
【００７９】
また、リモコンには、このような操作がし易いように、メニューをはじめ設定時のカーソル位置の左右上下方向への移動操作や決定操作を行うための移動・決定ボタンと、各処理を一つ前の段階に戻す操作を行う戻りボタンと、各処理を終了させる操作を行う終了ボタンと、テレビ装置１の各種設定を行うメニュー画面を表示する操作を行うためのメニュー画面表示ボタンとを設けておくとよい。なお、リモコンには、その他のボタン、例えば、映像表示装置の電源のオン／オフを操作する電源ボタンと、チャンネル番号を選択する操作を行うためのチャンネル選択ボタンと、チャンネル番号を上方向及び下方向に操作して選択するチャンネル上下ボタンと、アナログ放送、デジタル放送、ＩＰ放送の間で受信する放送を切り換える放送切換ボタンと、外部接続機器を含めた入力ソースを切り換える入力切換ボタンと、ＥＰＧを表示する操作を行うための番組表表示ボタンと、現在受信中の番組に対する番組情報を表示する操作を行うための番組情報表示ボタンと、ＥＰＧ画面やメニュー画面などを表示しているときの簡易操作用のカラー（赤、緑、黄、青）ボタンとを設けておくとよい。
【００８０】
図５及び図６は、それぞれ、本発明が適用されたテレビ装置の入力切換メニューの他の例を示す図である。図５、図６で例示する入力切換メニュー５０，６０は、図２の表示システム構築例とは無関係であるものとする。ここでの表示システムの構築例では、外部機器の現在の接続／非接続の状態に関わりなく一度接続した外部機器（但し同じＨＤＭＩ端子に他の外部機器を接続しなかった場合）全てを表示システムの一部とし、入力切換メニュー表示している。
【００８１】
図５で例示する入力切換メニュー５０には、ＨＤＭＩ用Ｉ／Ｆ１４又はＩ／Ｆ１５の入力ソースを表す「Ｓ社○○レコーダ１」等のＳ社の外部機器表示名５１、Ａ社の外部機器表示名５２、及びＢ社の外部機器表示名５３が表示されている。なお、例えばＳ社の外部機器表示名５１では、「Ｓ社」の表記は一番上だけ、或いは全体に対して１つだけで表記してもよい。また、図６で例示する入力切換メニュー６０には、ＨＤＭＩ用Ｉ／Ｆ１４又はＩ／Ｆ１５の入力ソースを表す「Ｓ社○○レコーダ１」等のレコーダに属する外部機器表示名６１、ＶＴＲに属する外部機器表示名６２、デジタルカメラに属する外部機器表示名６３、及びＰＣに属する外部機器表示名５４が表示されている。
【００８２】
このような表示は、切換メニュー表示手段が、入力切換メニュー上における端子表示名の表示を、機種情報取得手段で取得した機種情報に基づき並べ換えて行うことで実現できる。例えば、少なくとも一つのＨＤＭＩ端子からのＳＰＤパケットに対し、同じ製造者名で複数の機種名または複数のカテゴリが存在するか否かを判断し、同じ製造者名毎の機器群又は同じカテゴリ毎の機器群に分離する。
【００８３】
そして、例えばメーカ名が同じ機器群に並び替えて一覧表示するとよい。例えば、外部機器のメーカ名を抽出した後、外部機器表示名５１〜５３のように、入力切換表示の下位層にメーカ名毎の外部機器を一覧表示できる。機種情報は、メーカ名を含む情報であり、切換メニュー表示手段は、前記入力切換メニュー上における端子表示名の表示をメーカ名毎に分けて行う。ユーザによってはテレビは自社でレコーダが他社というケースもあるが、これにより、自社製或いは他社製のどのような機器（どのような規格の機器）が何台接続されているかが一目で確認することができる。またこのような使い方（表示）ができれば、例えばＳ社製の○○レコーダ１のデータを下段に表示したＳ社製の○○レコーダ２に移動（複写）する場合に便利である。
【００８４】
また、例えばカテゴリが同じ機器群に並び替えて一覧表示するとよい。例えば、外部機器のカテゴリ（レコーダ）抽出した後、外部機器表示名６３の中でもディスクの規格別に一覧表示してもよい。規格別の一覧表示とは、ＢＤ（Blu-ray Disc），ＨＤ・ＤＶＤ（High Definition DVD）、ＤＶＤ−ＲＷ、ＤＶＤ−ＲＡＭ、ＤＶＤ＋ＲＷ／Ｒ、ＣＤ−ＲＷ、ＣＤ−Ｒ等の規格に分けて一覧表示することを指す。さらに、外部機器のカテゴリ（レコーダ）抽出した後、各レコーダの空き容量データを比較演算し、空き容量の大きい（或いは小さい）順番に機器群を並び替えて一覧表示するようにしてもよい。なお、レコーダの空き容量やディスクの規格名は、変換テーブルに関連付けて格納しておくかＣＥＣコマンドで直接その外部機器から取得するかなどの方法で取得するとよい。
【００８５】
これにより、データの移動や保存時に使い分けが簡単にできる。今後ハイビジョン映像が増加するが、レコーダに保存したいときに、ディスクの規格名が一目で確認できれば、ハイビジョン映像は次世代ＤＶＤに、標準映像は他のＤＶＤに保存する場合に使い分けができる。
【００８６】
なお、図６の外部機器表示名６１及び外部機器表示名６２で例示したように、同じ録画可能機器といったカテゴリに属するもの同士は近くに表示しておいてもよいし、同じ会社の同時に使う可能性のある製品同士（例えばプレーヤとレコーダ）を近くに表示するようにしてもよい。
【００８７】
また、Ｓ社，Ａ社の外部機器表示名５１，５２には、「Ｓ社○○レコーダ１」及び「Ｓ社○○レコーダ２」や「Ａ社レコーダ１」及び「Ａ社レコーダ２」で例示したように、同じ外部機器表示名の場合には枝番を付すとよい。これは、表示名変更手段が、複数の入力端子に対して同じ外部機器表示名へ変更がなされるとき、連番を付した外部機器表示名へさらに変更を行うことで実現できる。同じメーカ名で同じカテゴリの場合は、例えば文字列の先頭部分から同じ文字列が所望の文字数（例えば１０文字）一致しているか判断して、上から順番に表示する（例えばＨＤＭＩ入力端子１は○○レコーダ１、ＨＤＭＩ入力端子２は○○レコーダ２）。メーカ名又は機種名に枝番として入力端子番号を付加した文字列にする際には、例えば、メーカ名が「Ｓ社」を表す英文の場合、「Ｓ社（１）」、「Ｓ社−１」、「Ｓ社１」等の文字列に、機種名が「ＤＶ−ＡＲＷ１５」の場合、「ＤＶ−ＡＲＷ１５（２）」、「ＤＶ−ＡＲＷ１５−２」等の文字列に、それぞれ変更、表示する。
【００８８】
また、図示はしないが、図４乃至図６の入力切換メニュー４０，５０，６０等は、切換メニュー表示手段によって、入力切換メニューをテレビ装置１に配設された入力端子群の位置と相対的に近い画面上の位置に表示するようにしてもよい。最近の大型テレビでは、一旦設置してしまうと側面（背面）のどの位置付近に外部機器接続端子が位置しているのか側面（背面）を覗かないと分かり難い。しかしながら、このような入力切換メニューの表示位置を採用することで、入力切換メニューを表示する位置が実際の外部機器接続端子群の位置と相対的に類似の位置関係にあるので、分かり易く便利になる。
【００８９】
以上、説明したように、接続された機器から送られてくる機種情報パケットから、メーカ名、機種名、カテゴリを抜き出し、入力表示ラベルに使用することで、接続されている機器や機器の詳細内容を認識し易くする。すなわち、テレビ装置１において、入力端子がどの外部機器を入力ソースとして入力している端子であるのかを、ユーザ識別可能に表示させることが可能となる。また、映像パケットと同時に送信される機種情報パケットに基づいて端子表示名の変更を行うので、変更の対象となる外部機器としては、映像入力ソースとならない外部機器（例えばＡＶアンプ２等のリピータ機器など）が自動的に省かれるので、入力ソースのみの表示を行うことができる。
【００９０】
次に、図７を参照して、本発明を適用したテレビ装置における入力端子に外部機器を抜き差しした場合の端子表示名変更処理の一例を説明する。上述した各実施形態のテレビ装置１は、表示名変更手段で変更した端子表示名を、入力端子（多段の場合には下層の入力端子も含む）と関連付けて記憶する表示名記憶手段を備えることが好ましい。この表示名記憶手段は、例えばＥＥＰＲＯＭ２２ｄ等により構成できる。
【００９１】
図７（Ａ）に示すように、初回電源投入時に機種情報をＳＰＤパケットで送信していない（或いは送信しているが必要な情報が含まれない）ソース機器Ａ（６）がテレビ装置１に接続された場合（主電源をオン／ケーブルを挿入）、機種情報が取得できないので、テレビ装置１ではデフォルト表示（例えば「入力４」）にする。この状態からソース機器Ａ（６）非接続となり（主電源をオフ／ケーブルを抜く）、代わりに機種情報をＳＰＤパケットで送信しているソース機器Ｂ（７）が差し込まれたとすると、テレビ装置１では、図７（Ｂ）に示すように「ＳＯＵＲＣＥ＿Ｂ」を表示する。
【００９２】
この状態からソース機器Ｂ（７）が非接続となった場合（主電源をオフ／ケーブルを抜く）には、テレビ装置１では、図７（Ｃ）に示すように前回の接続状態をそのまま表示しておく。なお、ここでの表示ではソース機器Ｂ（７）の表示を稼働中の他の外部機器の表示と色などで異ならせるようにしてもよい。この状態からソース機器Ｂ（７）が接続となった場合（主電源をオン／ケーブルを挿入）には、図７（Ｃ）のままの表示を続ければよい。一方、図７（Ｃ）の状態からソース機器Ａ（６）が接続となった場合（主電源をオン／ケーブルを挿入）には、テレビ装置１では、図７（Ｄ）に示すようにデフォルト表示を行う。
【００９３】
このように、入力端子から外部機器が取り外されるか或いは外部機器の電源（主電源）がオフされた場合でも、新たな照合結果が得られないなど新たな記憶がされない限り、外部機器に対して表示名記憶手段で記憶された端子表示名（外部機器表示名）を保持する。すなわち、前回の機種情報を保持しておき、それを表示する。また、機種情報取得手段は、入力端子から外部機器が取り外されるか或いはその外部機器の電源がオフされた後、機種情報の取得を実行するようにしてもよい。また、表示名記憶手段で記憶された表示名の更新を、同じ入力端子に他の外部機器が接続されて機種情報パケットを送信してきたときに実行するようにしてもよい。
【００９４】
図３乃至図６等を参照した説明で前提としたが、このように、表示名変更手段は、機種情報取得手段で機種情報パケットが入力されなかった場合、端子表示名をデフォルト名にするとよい。また、機種情報照合手段を備えた形態にあっては、表示名変更手段は、機種情報照合手段で所定条件と合致しなかった場合、端子表示名をデフォルト名にするとよい。すなわち、まず外部機器から送られてくるＨＤＭＩ信号の中にＳＰＤパケットがあるかを確認するし、存在する場合は変更した（或いは過去に変更済みの）外部機器表示名を表示し、存在しない場合は入力表示選択で選択されている文字列を表示するとよい。
【００９５】
次に、図８及び図９を参照して、本発明を適用したテレビ装置における設定メニュー画面、及びその設定メニュー画面から移行した自動入力表示設定画面の一例、並びに設定方法について説明する。
【００９６】
図８で例示する設定メニュー画面８０は、ＯＳＤ処理部２０ａから出力されるＯＳＤデータ（ビットマップデータ等）として表示デバイス２３に表示される。設定メニュー画面８０は、テレビ装置１自身の各種設定が可能なグラフィカルユーザインターフェース（ＧＵＩ）画面となっており、映像調整項目、音声調整項目、省エネルギー設定項目、本体設定項目８１、機能切換項目、デジタル設定項目、及びお知らせといった各項目が、プルダウンによりその項目の設定に移行可能に表示されている。このように、テレビ装置１には、設定メニュー画面を表示してテレビ装置１自身に対するユーザ設定を受け付けるユーザ設定手段を備えるとよい。
【００９７】
また、本体設定項目８１で表示された各設定項目８２のうち、ユーザがテレビ装置１のリモコン等により入力ソース選択項目８４を選択すると、図４乃至図７で例示したような入力切換メニューが表示され、切換可能としておくとよい。このように、表示名変更手段における変更対象の端子表示名は、設定メニュー画面に表示される端子表示名を含むようにすればよい。
【００９８】
また、本体設定項目８１で表示された各設定項目８２のうち、ユーザがテレビ装置１のリモコン等により自動入力表示設定項目８３を選択すると、図９の自動入力表示設定画面９０が表示される。自動入力表示設定画面９０では、自動的に本発明の端子表示名変更処理を実行することを示す設定「する」項目（項目９１〜９３のいずれかに対応）と、デフォルト表示のままにしておく「しない」項目９４と、さらに変更表示名をユーザ自身が入力設定可能な「変更表示名設定」項目９５とが、リモコン等でユーザ選択可能に表示されている。
【００９９】
「する（メーカ名）」項目９１が選択されている場合には、端子表示名を、取得した機種情報に基づきメーカ名（例えば「Ｓ社」の英文表記やそれを変換した「Ｓ社」）とカテゴリとを組み合わせた外部機器表示名に自動的に変更を行い（変更可能な場合のみ）、表示する。「する（機種名）」項目９２が選択されている場合には、端子表示名を、取得した機種情報に基づき機種名（例えば「ＤＶ−ＡＲＷ１５」）の外部機器表示名、或いは機種名とカテゴリとを組み合わせた外部機器表示名に自動的に変更を行い（変更可能な場合のみ）、表示する。「する（条件対応名）」項目９３が選択されている場合には、機種情報照合手段を用い、取得した機種情報に対応する外部機器表示名（例えば「○○社レコーダ１」に自動的に変更を行い（変更可能な場合のみ）、表示する。なお、初期値は、例えば「する（メーカ名）」などと適宜決めておけばよい。
【０１００】
このように、表示名変更手段における端子表示名の変更を実行しないか否かのユーザ設定を受け付ける変更設定手段を備えることが好ましく、これは設定メニュー画面に組み込まずに設けてもよい。また、変更設定手段は、項目９１〜９３のように、複数の変更方法の中から採用する変更方法をユーザ選択させる手段を有することが好ましい。
【０１０１】
また、「変更表示名設定」項目９５が選択された場合には、機種情報変換テーブルの現在の内容を表示して書き換えさせるようなＧＵＩ画面（図示せず）を表示して、例えばメーカ名がＳ社を表す英文でカテゴリがｒｅｃｏｒｄｅｒである場合に「○○レコーダ」と表示する、或いは「Ｓ社  ○○レコーダ」と表示する、といった設定をユーザから入力（選択入力）させる。また、テレビ装置１に搭載されているソフトウエアキーボードを画面に表示し、設定メニュー画面上で「機器名入力」を選択後、カーソルで、変更する項目に移動し、ソフトウエアキーボードで一覧表示する各機器名の名称の文字を入力するなどといった入力が可能である。
【０１０２】
このように、テレビ装置１には、表示名変更手段で変更に使用する外部機器表示名を変更するユーザ設定を受け付ける変更表示名設定手段を備えることが好ましい。
【０１０３】
また、テレビ装置１が複数のＨＤＭＩ入力端子をもつ場合や１つであっても間接的に複数のＨＤＭＩ入力端子が接続されている場合には、それぞれに対して図９のような設定ができるようにするとよい。
【０１０４】
また、本発明は、上述したように、各実施形態で説明した処理手順を含む表示方法や、その処理手順を実行するためのコンピュータ読み取り可能な端子表示名変更プログラムやそれを含む表示プログラムとしての形態も採用できる。表示装置に組み込むためのこれらのプログラムは、上述したように、端子表示名変更処理や表示処理の手順をＣＰＵ等の演算処理装置を含む制御部（制御コンピュータ）に実行させるためのプログラムで、上述した各手段として制御部を機能させるためのプログラムである。
【０１０５】
また、このようなプログラムは、コンピュータ読み取り可能な記録媒体に記録することで流通させたり、ネットワーク経由で配信して流通させるとよい。本発明の機能を実現するためのプログラムやデータを記憶した記録媒体としては、具体的には、各種のＣＤ，ＭＯ（光磁気ディスク），ＤＶＤ，ＦＤ，フラッシュメモリや、その他各種ＲＯＭやＲＡＭ等が想定できる。そして、コンピュータ等の情報処理装置に、上述のごとくの記録媒体を装着して情報処理装置によりそのプログラムを読み出すか、若しくは情報処理装置や転送先のテレビ装置等の表示装置が備えている記憶装置にそのプログラムを記憶させておき、必要に応じてこれを読み出すことにより、本発明に係わる端子表示名変更機能やその機能を含む表示機能を実現することができる。
【図面の簡単な説明】
【０１０６】
【図１】本発明の表示装置の一実施形態例を説明するためのブロック図である。
【図２】図１のテレビ装置を含む表示システムの構成例を示す概略図である。
【図３】テレビ装置の画面上に表示されるチャンネルコール画像の一例を示す図である。
【図４】本発明が適用されたテレビ装置の入力切換メニューの一例を示す図である。
【図５】本発明が適用されたテレビ装置の入力切換メニューの他の例を示す図である。
【図６】本発明が適用されたテレビ装置の入力切換メニューの他の例を示す図である。
【図７】本発明を適用したテレビ装置における入力端子に外部機器を抜き差しした場合の端子表示名変更処理の一例を説明するための図である。
【図８】本発明を適用したテレビ装置における設定メニュー画面の一例を示す図である。
【図９】図８の設定メニュー画面から移行した自動入力表示設定画面の一例を示す図である。
【符号の説明】
【０１０７】
１…テレビ装置、２…ＡＶアンプ、３，４…ＤＶＤプレーヤ、５…レコーダ、６…ソース機器Ａ、７…ソース機器Ｂ、１１，１２，１３…外部入力Ｉ／Ｆ、１４，１５…ＨＤＭＩ入力Ｉ／Ｆ、１６…ビデオデコーダ、１７…デマルチプレクサ、１８…ＴＶチューナ、１９…フレームメモリ、２０…画像処理部、２０ａ…ＯＳＤ処理部、２１…バス調停部、２２…システム制御部、２２ａ…ＣＰＵ、２２ｂ…ＲＯＭ、２２ｃ…ＲＡＭ、２２ｄ…ＥＥＰＲＯＭ、２３…表示デバイス、２４…デバイス駆動部、２５…赤外線受光部。
【図１】
2008035189.tif 000003
【図２】
2008035189.tif 000004
【図３】
2008035189.tif 000005
【図４】
2008035189.tif 000006
【図５】
2008035189.tif 000007
【図６】
2008035189.tif 000008
【図７】
2008035189.tif 000009
【図８】
2008035189.tif 000010
【図９】
2008035189.tif 000011